(57)【要約】【課題】音声処理における負荷を低減して安価なシステム構築を容易する。【解決手段】音声データ処理装置は、著作権を保護して再生すべき音声データを選択する暗号解除部１６Ａと、専用ケーブルで接続されるＡＶアンプ２０に対して暗号解除部１６Ａにより選択された音声データをビットストリーム出力するＨＤＭＩ部と、音声データのビットストリーム出力に先立ってＡＶアンプ２０から仕様識別情報を取得し、この仕様識別情報からＡＶアンプのウォータマーク検出機能を確認するシステム制御部１１とを備える。【選択図】図１
2009158055.tif 000002
【特許請求の範囲】
【請求項１】
著作権を保護して再生すべき音声データを選択する選択部と、専用ケーブルで接続される外部機器に対して前記選択部により選択された音声データをビットストリーム出力するデジタル出力インタフェース部と、前記音声データのビットストリーム出力に先立って前記外部機器から仕様識別情報を取得し、この仕様識別情報から前記外部機器のウォータマーク検出機能を確認する制御部とを備えることを特徴とする音声データ処理装置。
【請求項２】
前記制御部は前記外部機器によるウォータマークの検出結果を取得し、この検出結果から前記ウォータマークが不正であると判定した時点で前記音声データの出力を停止することを特徴とする請求項１に記載の音声データ処理装置。
【請求項３】
前記選択部により選択された音声データをデコードするデコード部および前記デコード部のデコード結果からウォータマークを検出する検出部をさらに備え、
前記制御部は前記外部機器のウォータマーク検出機能を確認した場合に前記デコード部を休止させることを特徴とする請求項１に記載の音声データ処理装置。
【請求項４】
前記制御部は前記外部機器のウォータマーク検出機能を確認できない場合に前記検出部によるウォータマークの検出結果を取得し、この検出結果から前記ウォータマークが不正であると判定した時点で前記音声データの出力を停止することを特徴とする請求項３に記載の音声データ処理装置。
【請求項５】
前記選択部、前記検出部、前記デジタル出力インタフェース部および前記制御部はＤＶＤプレーヤに組み込まれることを特徴とする請求項３に記載の音声データ処理装置。
【請求項６】
著作権を保護して再生すべき音声データを選択し、専用ケーブルでデジタル出力インタフェース部に接続される外部機器に対して前記選択された音声データを前記デジタル出力インタフェース部からビットストリーム出力する音声データ処理方法であって、前記音声データのビットストリーム出力に先立って前記外部機器から仕様識別情報を取得し、この仕様識別情報から前記外部機器のウォータマーク検出機能を確認することを特徴とする音声データ処理方法。
【請求項７】
前記外部機器によるウォータマークの検出結果を取得し、この検出結果から前記ウォータマークが不正であると判定した時点で前記音声データの出力を停止することを特徴とする請求項６に記載の音声データ処理方法。
【請求項８】
選択された音声データをデコードするデコード部および前記デコード部のデコード結果からウォータマークを検出する検出部を設け、前記外部機器のウォータマーク検出機能を確認した場合に前記デコード部を休止させることを特徴とする請求項６に記載の音声データ処理方法。
【請求項９】
前記外部機器のウォータマーク検出機能を確認できない場合に前記検出部によるウォータマークの検出結果を取得し、この検出結果から前記ウォータマークが不正であると判定した時点で前記音声データの出力を停止することを特徴とする請求項８に記載の音声データ処理方法。
【請求項１０】
前記デコード部、前記検出部および前記デジタル出力インタフェースはＤＶＤプレーヤに組み込まれることを特徴とする請求項８に記載の音声データ処理方法。
【発明の詳細な説明】
【技術分野】
【０００１】
本発明は、著作権保持者を特定可能なウォータマークを含む音声データを再生用に処理する音声データ処理装置および音声データ処理方法に関する。
【背景技術】
【０００２】
近年では、ＤＶＤのような大容量光ディスクの普及に伴って、著作権保護の重要性が増している。従来、光ディスクに記録された著作権保護情報に基づいてコンテンツの転送を制限する技術が知られている(例えば特許文献１を参照)。
【０００３】
現在、市販のＨＤ_ＤＶＤのコンテンツのうち、大容量光ディスク機器用の著作権保護規格（ＡＡＣＳ）によるコンテンツ保護対象のものについて、著作権保持者を特定可能な電子透かしである「ウォータマーク」の適用が検討されている。これに伴い、ウォータマークの検出および検出結果に基づく再生制御が可能なＤＶＤプレーヤの開発が行われている。尚、ウォータマークの検出は、音声データをＰＣＭデコードにより伸張した結果に対して行う必要がある。
【０００４】
また、現行のＤＶＤプレーヤの多くは、例えばHigh-definition Multimedia Interface (ＨＤＭＩ)のようなデジタル音声出力にも対応している。将来的には、このＨＤＭＩによる音声出力だけに対応し、ＨＤＭＩ端子以外の音声出力端子を備えないＤＶＤプレーヤが登場することが予想される。
【特許文献１】特開平２００５−９２９４３号公報
【発明の開示】
【発明が解決しようとする課題】
【０００５】
ＨＤＭＩによるデジタル音声出力に対応したＤＶＤプレーヤで上述のウォータマークを検出する場合、音声データを圧縮状態のままＨＤＭＩ出力しても、ウォータマークを検出するために音声データのデコードを行う必要がある。また、仮にウォータマークの検出機能を持つＡＶアンプが登場しても、実際にＤＶＤプレーヤに接続されたＡＶアンプ等の外部機器がウォータマークの検出機能を持つかどうかわからないため、やはりＤＶＤプレーヤ側で音声データのデコードを行う必要がある。この場合、音声処理における負荷の低減を期待できないため、これが安価なシステム構築を困難にする。
【０００６】
本発明はこのような課題に鑑みてなされたものであり、音声処理における負荷を低減して安価なシステム構築を容易する音声データ再生装置および音声データ再生方法を提供することを目的とする。
【課題を解決するための手段】
【０００７】
本発明の第１観点によれば、著作権を保護して再生すべき音声データを選択する選択部と、専用ケーブルで接続される外部機器に対して選択部により選択された音声データをビットストリーム出力するデジタル出力インタフェース部と、音声データのビットストリーム出力に先立って外部機器から仕様識別情報を取得し、この仕様識別情報から外部機器のウォータマーク検出機能を確認する制御部とを備える音声データ処理装置が提供される。
【０００８】
本発明の第２観点によれば、著作権を保護して再生すべき音声データを選択し、専用ケーブルでデジタル出力インタフェース部に接続される外部機器に対してこの選択された音声データをデジタル出力インタフェース部からビットストリーム出力する音声データ処理方法であって、音声データのビットストリーム出力に先立って外部機器から仕様識別情報を取得し、この仕様識別情報から外部機器のウォータマーク検出機能を確認する音声データ処理方法が提供される。
【発明の効果】
【０００９】
これら音声データ再生装置および音声データ再生方法では、音声データのビットストリーム出力に先立って外部機器から仕様識別情報が取得され、この仕様識別情報から外部機器のウォータマーク検出機能が確認される。従って、デジタル音声出力に際してウォータマークの検出に必要なデコードを外部機器に任せることにより音声処理における負荷を低減して安価なシステム構築を容易にできる。
【発明を実施するための最良の形態】
【００１０】
以下、本発明の一実施形態に係るＤＶＤプレーヤについて添付図面を参照して説明する。
【００１１】
図１はこのＤＶＤプレーヤ１０の構成を概略的に示す。ＤＶＤプレーヤ１０はシステム制御部１１、メモリ部１２、ＤＶＤユニット１３、分離部１４、映像処理部１５、音声処理部１６、およびＨＤＭＩ部１７を備える。システム制御部１１はこれらコンポーネント１２〜１７に接続され、ＤＶＤプレーヤ１０全体の動作に必要な制御をこれらコンポーネント１２〜１７に対して行う。このシステム制御部１１には、例えば様々な処理を行うＣＰＵ、ＣＰＵの制御プログラムや初期データを保持するＲＯＭ、ＣＰＵの入出力データを一時的に保存するＲＡＭ、および様々な設定用入力操作を行うユーザインタフェースが設けられる。メモリ部１２はＤＶＤユニット１３に対するバッファメモリである。ＤＶＤユニット１３はＤＶＤまたはＨＤ＿ＤＶＤに記録されたコンテンツをメモリ部１２に読み出す。システム制御部１１はこのメモリ部１２内のコンテンツを分離部１４に供給する。分離部１４はこのコンテンツを映像データと音声データとに分離する。市販のＤＶＤやＨＤ＿ＤＶＤに対する分離結果は、ウォータマークを付加して音声をＤＴＳ(登録商標)，ドルビーデジタル(登録商標)，ＭＰＥＧオーディオ等の圧縮方式で圧縮し、さらに著作権保護規格（ＡＡＣＳ）による保護対象として暗号化した音声データである。他方、ユーザが製作したＤＶＤやＨＤ＿ＤＶＤに対する分離結果では、音声データが圧縮されていなかったり、著作権保護規格（ＡＡＣＳ）による保護対象として暗号化されていなかったりする。映像処理部１５は分離部１４から出力される映像データをディスプレイに表示可能な形式に変換する処理を行う。音声処理部１６はスピーカ出力を行う外部機器である例えばＡＶアンプ２０の入力として適した形式に分離部から出力される音声データを変換する処理を行う。
【００１２】
音声処理部１６は音声データの暗号を解除する暗号解除部１６Ａ、暗号解除部１６Ａから出力される音声データをデコードするデコード部１６Ｂ、デコード部１６Ｂから出力された音声データからウォータマークを検出するウォータマーク検出部１６Ｃを含む。暗号化されていない音声データや暗号解除に成功した音声データは暗号解除部１６Ａからデコード部１６Ｂに出力される。この暗号解除部１６Ａでは、暗号解除に成功した音声データが著作権を保護して再生すべき音声データとして選択されたことになる。
【００１３】
暗号解除部１６Ａから得られた音声データが圧縮されており、ＡＶアンプ２０が同圧縮方式およびウォータマーク検出に対応しており、且つ、ユーザからのビットストリーム出力が要求された場合、暗号解除部１６Ａの出力がＨＤＭＩ部１７に入力される。この場合、ＤＶＤプレーヤ１０でのウォータマーク検出は実施しない。
【００１４】
ＡＶアンプ２０が同圧縮方式に対応しているが、ウォータマーク検出に対応していない場合は、デコード部１６Ｂにてデコード処理を行い、その結果の音声データであるＰＣＭデータをウォータマーク検出部１６Ｃに出力する。ウォータマーク検出部１６Ｃでは、ウォータマーク検出を行い、不正なウォータマークが検出された場合は再生を停止し、そうでなければ、デコード部１６Ｂの処理結果（ＰＣＭデータ）がＨＤＭＩ部１７に入力され、ＡＶアンプ２０に出力される。
【００１５】
また、システム制御部１１は暗号解除部１６Ａ、デコード部１６Ｂ、およびウォータマーク検出部１６Ｃの処理を制御可能である。暗号解除部１６Ａからの音声データおよびデコード部１６Ｂからの音声データはＨＤＭＩ部１７によりそれぞれビットストリーム出力およびＰＣＭ出力としてＡＶアンプ２０に出力される。ＨＤＭＩ部１７は外部機器(すなわち、ＡＶアンプ２０)が専用ケーブル(すなわち、ＨＤＭＩケーブル)でＨＤＭＩ部１７に接続された状態になったことをシステム制御部１１に通知する。システム制御部１１はこれによりＡＶアンプ２０の接続を認識し、音声データのビットストリーム出力に先立ってＡＶアンプ２０から仕様識別情報（ＥＤＩＤ）を取得し、この仕様識別情報から少なくともＡＶアンプ２０のウォータマーク検出機能を確認する。ＥＤＩＤの取得において、ＨＤＭＩ部１７はＨＤＭＩケーブルに設けられたＤＤＣ(Display Data Channel)プロトコル用のＤＤＣ線を介してＥＤＩＤ要求をＡＶアンプ２０へ送信し、この要求に対してＡＶアンプ２０からＤＤＣ線を介して返信されるＥＤＩＤを受信するように制御される。このＥＤＩＤは、ウォータマーク検出機能や適応可能な音声データの圧縮方式を確認できるようなフィールド構成にある。
【００１６】
図２はＤＶＤプレーヤ１０とウォータマーク検出機能を持つＡＶアンプ２０との間で行われる通信内容を示す。ＡＶアンプ２０がＨＤＭＩケーブルで接続されると、ＤＶＤプレーヤ１０がＥＤＩＤをＡＶアンプ２０へ要求し、この要求に対してＡＶアンプ２０から返信されるＥＤＩＤを取得し、このＥＤＩＤからＡＶアンプ２０のウォータマーク検出機能の有無を確認する。ウォータマーク検出機能ありが確認された後に、ユーザからビットストリーム出力を選択した音声データの再生要求があると、音声データがＤＶＤプレーヤ１０からＡＶアンプ２０へビットストリーム出力される。これに伴い、ＡＶアンプ２０はＤＶＤプレーヤ１０からビットストリーム出力された音声データを必要に応じてデコードしてウォータマーク検出を行う。ウォータマークの検出結果は、ＨＤＭＩケーブルに設けられたＣＥＣ(Consumer Electronics Control)プロトコル用のＣＥＣ線を介してＡＶアンプ２０からＤＶＤプレーヤ１０へ送信される。ＤＶＤプレーヤ１０では、ＨＤＭＩ部１７がこのウォータマークの検出結果を受信してシステム制御部１１に通知する。検出ウォータマークが不正であるとシステム制御部１１で判定されると、この時点でＨＤＭＩ部１７からのビットストリーム出力が停止される。尚、ＡＶアンプ２０がＡＡＣＳによるウォータマーク適用規則も認識するタイプであれば、検出ウォータマークが不正であるとＡＶアンプ２０で判定された時点でデコード結果の音声出力が停止される。
【００１７】
図３はＤＶＤプレーヤ１０とウォータマーク検出機能を持たないＡＶアンプ２０との間で行われる通信内容を示す。ＡＶアンプ２０がＨＤＭＩケーブルで接続されると、ＤＶＤプレーヤ１０がＥＤＩＤをＡＶアンプ２０へ要求し、この要求に対してＡＶアンプ２０から返信されるＥＤＩＤを取得し、このＥＤＩＤからＡＶアンプ２０のウォータマーク検出機能の有無を確認する。ウォータマーク検出機能無しが確認された後に、ユーザから音声データの再生要求があると、ＤＶＤプレーヤ１０からＡＶアンプ２０へのビットストリーム出力がＰＣＭ出力に変更される。これに伴い、ＤＶＤプレーヤ１０は音声データを必要に応じてデコード部１６Ｂでデコードしてウォータマーク検出部１６Ｃでウォータマーク検出を行う。このウォータマークの検出結果はウォータマーク検出部１６Ｃからシステム制御部１１に通知される。検出ウォータマークが不正であるとシステム制御部１１で判定されると、この時点でデコード部１６ＢからのＰＣＭ出力が停止される。
【００１８】
図４はシステム制御部１１により行われる音声出力処理を示す。この音声出力処理がＡＶアンプ２０の接続に伴って開始されると、システム制御部１１がステップＳ１でＥＤＩＤをＨＤＭＩ部１７からＡＶアンプ２０に要求する。ステップＳ２では、このＥＤＩＤを取得したか繰返しチェックされる。ＥＤＩＤの取得後、ステップＳ３でウォータマークの検出機能があるかチェックされる。このウォータマークの検出機能があることが確認されれば、ステップＳ４でビットストリーム出力がユーザによって選択されているかチェックされる。このビットストリーム出力が選択されていれば、ステップＳ５でデコード部１６Ｂがユーザからの再生要求に対して休止されて、音声データがＨＤＭＩ部１７を経由してＡＶアンプ２０へビットストリーム出力される。これに続き、ステップＳ６でＡＶアンプ２０からのウォータマーク検出結果があるかチェックされる。ウォータマーク検出結果があれば、適正なウォータマークかステップＳ７でチェックされる。適正なウォータマークでなければ、ステップＳ８でビットストリーム出力が停止され、音声出力処理が終了する。
【００１９】
また、ステップＳ６でウォータマーク検出結果がないことが確認されるか、あるいはステップＳ７で適正なウォータマークであることが確認されると、ステップＳ９で音声データの出力が完了したかチェックされる。音声データの出力が完了していなければ、ステップＳ５が音声データの出力を継続するために再度実行される。他方、音声データの出力が完了すると、音声出力処理が終了する。
【００２０】
さらに、上述のステップＳ３でウォータマークの検出機能が無いことが確認された場合、あるいはステップＳ４でビットストリーム出力が選択されていないことが確認された場合には、ステップＳ１０で音声データのビットストリーム出力がユーザから再生要求に対して禁止される。これに続き、ステップＳ１１で音声データがデコード部１６Ｂのデコード結果としてＡＶアンプ２０にＰＣＭ出力され、ステップＳ１２でウォータマーク検出部１６Ｃからのウォータマーク検出結果があるかチェックされる。ウォータマーク検出結果があれば、適正なウォータマークかステップＳ１３でチェックされる。適正なウォータマークでなければ、ステップＳ１４でＰＣＭ出力が停止され、音声出力処理が終了する。
【００２１】
また、ステップＳ１２でウォータマーク検出結果がないことが確認されるか、あるいはステップＳ１３で適正なウォータマークであることが確認されると、ステップＳ１５で音声データの出力が完了したかチェックされる。音声データの出力が完了していなければ、ステップＳ１１が音声データの出力を継続するために再度実行される。他方、音声データの出力が完了すると、音声出力処理が終了する。
【００２２】
本実施形態では、ＤＶＤプレーヤがアナログ音声出力およびデジタル音声出力の同時出力を行わない構成であり、音声データのビットストリーム出力に先立って外部機器、すなわちＡＶアンプ２０から仕様識別情報（ＥＤＩＤ）が取得され、この仕様識別情報から外部機器のウォータマーク検出機能が確認される。従って、このＤＶＤプレーヤでデジタル音声出力の際にウォータマークの検出に必要なデコードを外部機器に任せることができるため、音声処理における負荷を低減して安価なシステム構築を容易にできる。
【００２３】
尚、本発明は上述の実施形態に限定されず、その要旨を逸脱しない範囲で様々に変形可能である。
【図面の簡単な説明】
【００２４】
【図１】本発明の一実施形態に係るＤＶＤプレーヤを概略的に示す図である。
【図２】図１に示すＤＶＤプレーヤとウォータマーク検出機能を持つＡＶアンプとの間で行われる通信内容を示す図である。
【図３】図１に示すＤＶＤプレーヤとウォータマーク検出機能を持たないＡＶアンプとの間で行われる通信内容を示す図である。
【図４】図１に示すシステム制御部により行われる音声出力処理を示す図である。
【符号の説明】
【００２５】
１０…ＤＶＤプレーヤ、２０…ＡＶアンプ、１１…システム制御部、１２…メモリ部、１３…ＤＶＤユニット、１４…分離部、１６…音声処理部、１６Ａ…暗号解除部、１６Ｂ…デコード部、１６Ｃ…ウォータマーク検出部、１７…ＨＤＭＩ部。
【図１】
2009158055.tif 000003
【図２】
2009158055.tif 000004
【図３】
2009158055.tif 000005
【図４】
2009158055.tif 000006